(57)【要約】【課題】腰束布段による腰束やコルセットの効果が得られ、また、延伸布段の雄係合体がパンツの正面の雌扣合体に結合されることにより、第１のしり挙げ布段と第２のしり挙げ布段により臀部ぜい肉を上へ集中してしり挙げの効果が得られる。調整型コルセットボディストッキングのコルセット構造を提供する。【解決手段】コルセットパンツがあり、該パンツの正面の上方に調整布段が設けられ、該調整布段は、一端に雄係合体が設けられ、もう一端に雌扣合体が設けられ、またパンツの正面の下方の端部に雌扣合体が設けられ、またパンツの裏面の下方に延伸布段が設けられ、また該延伸布段は端部に雌係合体が設けられ、またパンツの裏面の中央に中空穴が形成され、該中空穴の下方の一側に第１のしり挙げ布段が形成され、もう一側に第２のしり挙げ布段が形成され、また中空穴の上方に腰束布段が形成される。【選択図】図1
0003118937.tif 000002
【実用新案登録請求の範囲】
【請求項１】
主として、コルセットパンツがあり、当該パンツは、正面の上方に、調整布段が設けられ、当該調整布段は、一端に、雄係合体が設けられ、もう一端に、雌扣合体が設けられ、また、当該パンツの正面の下方の端部に、雌扣合体が設けられ、当該パンツの裏面の下方に、延伸布段が設けられ、当該延伸布段の端部に、雄係合体が設けられ、また、当該パンツの裏面の中央に、中空穴が設けられ、当該中空穴の下方の一側に、第１のしり挙げ布段が形成され、もう一側に、第２のしり挙げ布段が形成され、当該中空穴の上方に、腰束布段が形成され、上記の構造により、当該調整布段の雄係合体が雌扣合体に結合されることにより、腰束布段による腰束やコルセットの効果が得られ、また、延伸布段の雄係合体がパンツの正面の雌扣合体に結合されることにより、第１のしり挙げ布段と第２のしり挙げ布段により臀部ぜい肉を上へ集中してしり挙げの効果が得られる、ことを特徴とする調整型コルセットボディストッキングのコルセット構造。
【請求項２】
当該コルセットパンツがコルセットジレーに結合されて使用されることができ、当該コルセットパンツの延伸布段の端部にある雄係合体がコルセットジレーの雌扣合体に結合されることにより、しり挙げの効果が得られ、また、調整布段の雄係合体が雌扣合体に結合されることにより、腰束布段による腰束やコルセットの効果が得られることを特徴とする請求項１に記載の調整型コルセットボディストッキングのコルセット構造。
【請求項３】
当該中空穴の中央に、更に、隔離布が設けられることを特徴とする請求項１に記載の調整型コルセットボディストッキングのコルセット構造。
【考案の詳細な説明】
【技術分野】
【０００１】
本考案は、調整型コルセットボディストッキングのコルセット構造に関し、特に、コルセットパンツにより腰束やコルセット及びしり挙げの効果が得られ、また、コルセットパンツだけを使用することができ、そして、コルセットパンツをコルセットジレーに結合して使用することができるものに関する。
【背景技術】
【０００２】
現代女性は、体型曲線の美感を追求するため、コルセットの効果を有するコルセットジレーやコルセットパンツを選択することにより、コルセットの美感を強調する。
【０００３】
従来のコルセットボディストッキングは、一体的に作製されるため、主として、肩帯や胸束布段、腰腹束布段、臀部布段及び背中部布段からなり、臀部布段により、コルセットパンツのしり挙げ効果が得られるが、上記の従来のコルセットボディストッキングは、次のような問題点がある。
【０００４】
従来のコルセットボディストッキングは、一体的に作製されるため、局部が太っている人にとって、局部だけにコルセットボディストッキングを使うと思うが、コルセットボディストッキング全体を着なければならなく、不便であり、また、従来のコルセットボディストッキングが他の機能を提供しない問題点がある。
【０００５】
本考案は、本考案者が、上記の従来のコルセットボディストッキングの欠点を解消するために、慎重に開発するものである。
【考案の開示】
【考案が解決しようとする課題】
【０００６】
本考案は、従来のコルセットボディストッキングについて、着る事が不便で、他の機能を提供しない欠点を解消するため、腰束やコルセット及びしり挙げ等の効果が実現される調整型コルセットボディストッキングのコルセット構造を提供する。
【課題を解決するための手段】
【０００７】
調整型コルセットボディストッキングのコルセット構造は、主として、コルセットパンツがあり、当該パンツは、正面の上方に、調整布段が設けられ、一端に、雄係合体が設けられ、もう一端に、雌扣合体が設けられ、また、正面の下方の端部に、雌扣合体が設けられ、裏面の下方に、延伸布段が設けられ、当該延伸布段の端部に、雄係合体が設けられ、また、裏面の中央に、中空穴が設けられ、当該中空穴は、下方の一側に、第１のしり挙げ布段が形成され、もう一側に、第２のしり挙げ布段が形成され、中空穴の上方に、腰束布段が形成され、上記の構造により、調整布段の雄係合体が雌扣合体に結合されることにより、腰束布段による腰束やコルセットの効果が得られ、また、延伸布段の雄係合体がパンツの正面の雌扣合体に結合されることにより、第１のしり挙げ布段と第２のしり挙げ布段により臀部ぜい肉を上へ集中してしり挙げの効果が得られる。
【考案を実施するための最良の形態】
【０００８】
以下、図面を参照しながら、本考案の目的や特徴及び効果について詳しく説明する。
【０００９】
図1乃至5は、それぞれ、本考案の展開概念図と外観構造図及び実施例の概念図であり、本考案に係わる調整型コルセットボディストッキングのコルセット構造は、主として、コルセットパンツ10があり、当該パンツは、正面の上方に、調整布段11が設けられ、当該調整布段11の一端に、雄係合体111が設けられ、もう一端に、雌扣合体112が設けられ、当該パンツの正面の下方の端部に、雌扣合体122が設けられ、また、当該パンツの裏面の下方に、延伸布段12が設けられ、当該延伸布段12の端部に、雄係合体121が設けられ、また、パンツの裏面の中央に、中空穴13が設けられ、また、当該中空穴13の下方の一側に、第１のしり挙げ布段14が形成され、もう一側に、第２のしり挙げ布段15が形成され、また、当該中空穴13の上方に、腰束布段16が形成され、上記の構造により、当該調整布段11の雄係合体111が雌扣合体112に結合されることにより、腰束布段16による腰束やコルセットの効果が得られ、また、延伸布段12の雄係合体121がパンツの正面の雌扣合体122に結合されることにより、第１のしり挙げ布段14と第２のしり挙げ布段15により臀部ぜい肉を上へ集中してしり挙げの効果が得られる。
【００１０】
図6、7は、本考案の他の実施例の外観構造図と組立て分解図であり、本考案の他の実施態様は、コルセットパンツ10が、コルセットジレー20に結合されて使用されることができ、コルセットパンツ10の延伸布段12の端部にある雄係合体121がコルセットジレー20の雌扣合体21に結合されることにより、しり挙げの効果が得られ、また、調整布段11の雄係合体111が雌扣合体112に結合されることにより、腰束布段による腰束やコルセットの効果が得られる。
【００１１】
図8、9は、本考案の他の実施例の展開概念図と外観概念図であり、本考案の中空穴13に隔離布131が設けられることにより、しり挙げの効果が得られる。
【００１２】
本考案に係わる上記の構成による効果は、次のようである。
【００１３】
本考案に係わるコルセットパンツは、調整布段の結合により、腰束布段による腰束やコルセットの効果が得られ、また、延伸布段をパンツの正面に係合することにより、第１のしり挙げ布段と第２のしり挙げ布段によるしり挙げの効果が得られ、また、パンツの裏面の中空穴の設計により、延伸布段をパンツの正面に結合する時、臀部が上へ集中されて、臀部の太っている部位が中空穴に集中され、そのため、腰束としり挙げの効果が得られる。
【００１４】
本考案に係わるコルセットパンツは、コルセットジレーに結合されることにより、需要に応じて、腰束やコルセット及びしり挙げの効果が得られるものである。
【００１５】
以上は、本考案の技術や特徴について具体的に説明するための本考案のより良い実施例であり、本技術を良く分かる熟練者であれば、本考案の精神や範囲に従って簡単に等価の変更や修正が出来、当該等価の変更や修正は、全てが、本考案の実用新案登録請求の範囲に含まれる。
【図面の簡単な説明】
【００１６】
【図１】本考案の展開概念図（正面）
【図２】本考案の外観概念図（裏面）
【図３】本考案の外観概念図
【図４】本考案の実施例の概念図（正面）
【図５】本考案の実施例の概念図（裏面）
【図６】本考案の他の実施例の組立て外観図
【図７】本考案の他の実施例の組立て分解図
【図８】本考案の他の実施例の展開概念図（正面）
【図９】本考案の他の実施例の外観概念図（裏面）
【符号の説明】
【００１７】
10            コルセットパンツ
11            調整布段
111           雄係合体
112           雌扣合体
12            延伸布段
121           雄係合体
122           雌扣合体
13            中空穴
131           隔離布
14            第１のしり挙げ布段
15            第２のしり挙げ布段
16            腰束布段
20            コルセットジレー
21            雌扣合体
【図１】
0003118937.tif 000003
【図２】
0003118937.tif 000004
【図３】
0003118937.tif 000005
【図４】
0003118937.tif 000006
【図５】
0003118937.tif 000007
【図６】
0003118937.tif 000008
【図７】
0003118937.tif 000009
【図８】
0003118937.tif 000010
【図９】
0003118937.tif 000011